(57)【要約】【課題】プレクリーナとエアークリーナとを有する吸気系を合理的に構成する。【解決手段】穀粒貯留部５のタンクユニット４４の外壁４４ＡにブラケットＢを介してプレクリーナ５５を支持し、これより低いレベルにエアークリーナ５７を配置している。プレクリーナ５５の送出部５５Ｅとエアークリーナ５７の吸引部５７Ｂとを走行機体の前後方向に沿って配置し、この送出部５５Ｅと吸引部５７Ｂとに接続する中間ホース５８を可撓性材料で構成した。【選択図】図４
2012172582.tif 000002
【特許請求の範囲】
【請求項１】
エンジンに燃焼用の空気を供給する吸気系に、この吸気系の上流側で空気の浄化を図るプレクリーナと、この吸気系の下流側で空気の浄化を図るエアークリーナとが備えられているコンバインであって、
前記プレクリーナが走行機体の第１支持部に支持され、前記エアークリーナが前記第１支持部と異なる位置の走行機体の第２支持部に支持されると共に、前記プレクリーナからの空気を前記エアークリーナに送るホースが可撓性の材料で構成されているコンバイン。
【請求項２】
前記プレクリーナが、底壁に空気を送り出す送出部を下方に向けて突設した構成を有しており、前記プレクリーナを前記第１支持部としての穀粒貯留部又は脱穀装置に支持するブラケットが、前記送出部の周囲の底壁に連結する水平姿勢の支持部と、前記穀粒貯留部又は前記脱穀装置の縦壁状の外壁に連結する連結部とを備えて構成されている請求項１記載のコンバイン。
【請求項３】
前記エアークリーナが前記プレクリーナより前部位置に配置されると共に、空気を受け入れる吸引部が前記エアークリーナに上方に突出する姿勢で形成され、この吸引部と前記プレクリーナの送出部とが平面視において走行機体の前後方向に沿う仮想直線上、又は、この仮想直線の近傍に配置されている請求項２記載のコンバイン。
【請求項４】
前記プレクリーナを、前記第１支持部としての穀粒貯留部又は脱穀装置の機体内側の縦壁状の外壁に支持すると共に、前記エアークリーナを前記穀粒貯留部の前方側箇所の前記第２支持部に支持し、
前記プレクリーナを、前記外壁における前後中間位置よりも前側の前半部分の後部に支持し、前記エアークリーナに接続された前記ホースを前記外壁の上部に沿う前後向き姿勢で配置して前記プレクリーナに接続してある請求項１〜３のいずれか一項に記載のコンバイン。
【請求項５】
前記ホースを、前記エアークリーナに接続された上下向きの前端部と、前記前端部の上端側から後方に延出されて前記外壁の上部に沿う前後向き姿勢で配置される中間部と、前記中間部の後端側から上向きに延出されて前記プレクリーナに接続される後端部とを備えて構成し、前記中間部の前後長さを前記前端部の上下長さ及び前記後端部の上下長さよりも長く設定してある請求項４記載のコンバイン。
【発明の詳細な説明】
【技術分野】
【０００１】
本発明は、エンジンに燃焼用の空気を供給する吸気系に、この吸気系の上流側で空気の浄化を図るプレクリーナと、この吸気系の下流側で空気の浄化を図るエアークリーナとが備えられているコンバインに関する。
【背景技術】
【０００２】
上記のように構成されたコンバインとして特許文献１には、穀粒ホッパーの上部位置にプレクリーナを備え、エンジンボンネットの上面位置にエアークリーナを備え、プレクリーナからの空気をエアークリーナに供給する吸気管を備えた構成が記載されている。
【０００３】
この特許文献１では、プレクリーナを上端に備えた吸気管が脱穀装置と穀粒ホッパとの間に形成された空隙に挿通立設され、吸気管を穀粒ホッパーの側面に連結支持することで、この吸気管を介してプレクリーナを支持している。
【先行技術文献】
【特許文献】
【０００４】
【特許文献１】特開２００７‐１５１４４０号公報  （段落番号〔００３２〕、図６、図７）
【発明の概要】
【発明が解決しようとする課題】
【０００５】
コンバインでの収穫作業では、穀稈を搬送する搬送系や脱穀装置において塵埃が多く発生するため、高い位置にプレクリーナを配置することが望まれる。このような理由から特許文献１では、プレクリーナを高い位置に配置し、このプレクリーナからの空気をエアークリーナに供給する吸気管を備える構成が採用されている。
【０００６】
しかしながら、特許文献１に記載されるように、吸気管の上端にプレクリーナを備え、吸気管を穀粒ホッパー等に支持する構成では、吸気管に金属パイプ材や硬質の樹脂パイプ材等を必要とすることになるが、この硬質の吸気管の一方をプレクリーナに接続し、この吸気管の他方をエアークリーナに接続するためには、吸気管の加工精度を高く維持することが必要となり、加工に時間が掛かり、製造コストの上昇を招くことになり、改善の余地がある。
【０００７】
本発明の目的は、コンバインにおいてプレクリーナとエアークリーナとを有する吸気系を低廉に合理的に構成する点にある。
【課題を解決するための手段】
【０００８】
本発明の特徴は、エンジンに燃焼用の空気を供給する吸気系に、この吸気系の上流側で空気の浄化を図るプレクリーナと、この吸気系の下流側で空気の浄化を図るエアークリーナとが備えられているコンバインであって、
前記プレクリーナが走行機体の第１支持部に支持され、前記エアークリーナが前記第１支持部と異なる位置の走行機体の第２支持部に支持されると共に、前記プレクリーナからの空気を前記エアークリーナに送るホースが可撓性の材料で構成されている点にある。
【０００９】
この構成によると、プレクリーナが第１支持部に支持され、この第１支持部と異なる位置の第２支持部に対してエアークリーナが支持され、プレクリーナからの空気をエアークリーナに送るホースが可撓性の材料で構成されるため、プレクリーナとエアークリーナとの相対的な位置関係に多少の誤差があってもホースを撓ませることで、このホースを接続することが可能となる。つまり、本発明ではホースの成形の精度を低くして、プレクリーナとエアークリーナとの相対的な位置関係に多少の誤差があっても、ホースを無理なく接続でき、ホースの製造コストの上昇を招くこともない。
従って、プレクリーナとエアークリーナとを有する吸気系が、低廉で加工に手間を掛けずに済むように構成された。
【００１０】
本発明は、前記プレクリーナが、底壁に空気を送り出す送出部を下方に向けて突設した構成を有しており、前記プレクリーナを前記第１支持部としての穀粒貯留部又は脱穀装置に支持するブラケットが、前記送出部の周囲の底壁に連結する水平姿勢の支持部と、前記穀粒貯留部又は前記脱穀装置の縦壁状の外壁に連結する連結部とを備えて構成されても良い。
【００１１】
これによると、プレクリーナを穀粒貯留部又は脱穀装置に支持する場合には、穀粒貯留部の外壁にブラケットの連結部を連結し、この連結状態で水平姿勢となる支持部の上面にプレクリーナの底壁を連結する形態で支持するため、プレクリーナを受け止める形態となり確実な支持が実現する。また、プレクリーナはエアークリーナより高い位置に配置されるものであるが、プレクリーナの底壁に空気の送出部が下方に突設されているので、プレクリーナからエアークリーナに対して空気を送り出す方向にも無理がない。
【００１２】
本発明は、前記エアークリーナが前記プレクリーナより前部位置に配置されると共に、空気を受け入れる吸引部が前記エアークリーナに上方に突出する姿勢で形成され、この吸引部と前記プレクリーナの送出部とが平面視において走行機体の前後方向に沿う仮想直線上、又は、この仮想直線の近傍に配置されても良い。
【００１３】
これによると、ホースの一方の端部にはプレクリーナの送出部に接続する開口を上方に向けて形成し、ホースの他方の端部にはエアークリーナの吸引部に接続する開口を下方に向けて形成する程度の比較的簡単な成形により、ホースを複雑な形状に成形しなくともプレクリーナの空気の送出部とエアークリーナの吸引部とをホースで容易に接続することが可能となる。
【００１４】
本発明は、前記プレクリーナを、前記第１支持部としての穀粒貯留部又は脱穀装置の機体内側の縦壁状の外壁に支持すると共に、前記エアークリーナを前記穀粒貯留部の前方側箇所の前記第２支持部に支持し、前記プレクリーナを、前記外壁における前後中間位置よりも前側の前半部分の後部に支持し、前記エアークリーナに接続された前記ホースを前記外壁の上部に沿う前後向き姿勢で配置して前記プレクリーナに接続しても良い。
【００１５】
これによると、エアークリーナを穀粒貯留部の前方箇所の空間に配置することが可能になり、プレクリーナを外壁の前半部分の後部に配置することで刈取部との距離を大きくして、刈取部で発生した塵埃を吸引し難くすることが可能となる。また、プレクリーナが外壁のうち機体内側面に配置されるため、このプレクリーナに接続するホースを、外壁の上部に沿って前後向き姿勢で配置でき、ホースの配置にも無理がない。
【００１６】
本発明は、前記ホースを、前記エアークリーナに接続された上下向きの前端部と、前記前端部の上端側から後方に延出されて前記外壁の上部に沿う前後向き姿勢で配置される中間部と、前記中間部の後端側から上向きに延出されて前記プレクリーナに接続される後端部とを備えて構成し、前記中間部の前後長さを前記前端部の上下長さ及び前記後端部の上下長さよりも長く設定しても良い。
【００１７】
これによると、ホースの中間部の前後長さが、前端部の上下長さ及び後端部の上下長さよりも長く設定されるので、プレクリーナとエアークリーナとの相対的な位置関係に多少の誤差がある場合にも、ホースの前端部や後端部を殆ど弾性変形させなくとも、ホースの中間部を僅かに弾性変形させることにより、ホースをプレクリーナとエアークリーナとに接続させることが可能となる。
【図面の簡単な説明】
【００１８】
【図１】コンバインの右側面図である。
【図２】コンバインの左側面図である。
【図３】プレクリーナとエアークリーナとの配置を示す右側面図である。
【図４】プレクリーナとエアークリーナとの配置を示す正面図である。
【図５】プレクリーナとエアークリーナとの配置を示す平面図である。
【図６】プレクリーナとブラケットとを示す正面図である。
【図７】ブラケットの斜視図である。
【図８】脱穀装置の構成を示す縦断側面図である。
【図９】脱穀装置の正面図である。
【図１０】穀稈供給口の部位の縦断側面図である。
【図１１】別実施形態の穀稈供給口の部位の縦断側面図である。
【発明を実施するための形態】
【００１９】
以下、本発明の実施形態を図面に基づいて説明する。
〔コンバインの全体構成〕
図１、図２に示すように、左右一対のクローラ走行装置１によって走行する走行機体２の前端に刈取部３を昇降自在に備えると共に、刈取部３で刈り取られた刈取穀稈が供給される脱穀装置４と、この脱穀装置４から送られる穀粒を貯留する穀粒貯留部５とを走行機体２の左右位置に並列配置し、走行機体２の前部で穀粒貯留部５の前部位置に作業者が搭乗する運転部１０を備えて自脱型のコンバインが構成されている。尚、この実施形態では自脱型のコンバインを示しているが、コンバインは普通型のものであっても良い。
【００２０】
このコンバインは、運転部１０の運転座席１２の下側にエンジンＥを備えており、収穫作業時にはエンジンＥの駆動力で刈取部３と脱穀装置４とを駆動すると共に、クローラ走行装置１を駆動して走行機体２を走行させることで、刈取部３で穀稈の株元を切断して穀稈の刈り取りを行い、この刈取穀稈を脱穀装置４に搬送して脱穀処理を行い、この脱穀処理により得られた処理物から穀粒を選別して穀粒貯留部５に貯留する作動が自動的に行われる。
【００２１】
〔運転部〕
運転部１０には、作業者が搭乗するステップ１１と、作業者が着座する運転座席１２とが備えられると共に、運転座席１２の前方位置に作業者が操作する操縦レバー１３が備えられている。運転座席１２の側部位置に主変速レバー１４と、副変速レバー１５とが備えられている。
【００２２】
操縦レバー１３は、非操作状態で中立姿勢を維持するように中立付勢され、左右の何れかの方向に揺動操作することで走行機体２の操向・旋回を実現し、前後の何れかの方向に操作することで刈取部３の昇降を行う。主変速レバー１４は、走行速度の無段階の変速を行うものであり、走行機体２を停車させる中立位置と、この中立位置から前方側に形成される前進変速域と、中立位置から後方側に形成される後進変速域とに操作自在に構成されている。副変速レバー１５は、複数段の変速操作を行う。
【００２３】
〔脱穀装置〕
図８に示すように、脱穀装置４は、刈取部３から横倒れ姿勢で供給される刈取穀稈の株元をフィードチェーン２１で受取り、その刈取穀稈の穂先部を扱室２２の前端の穀稈供給口２２Ａから扱室２２の内部に挿入して走行機体２の後方側（同図において左方から右方）に挟持搬送することで、扱室２２内に駆動回転可能に軸支された扱胴２３によって脱穀処理が行われる。脱穀装置４では、扱胴２３の扱き処理により刈取穀稈の穂先部から脱粒した穀粒を含む処理物が、扱室２２の下方に張設された受け網２４を漏下し、揺動選別部２５に落下供給される。この揺動選別部２５では揺動により処理物の比重選別を行うと共に、唐箕２６から送られる選別風により藁屑等は揺動選別部２５から上方に送られ排塵ファン２７に吸引され脱穀装置後端から排出される。
【００２４】
揺動選別部２５において比重選別により選別された穀粒は１番スクリュー２８から揚穀装置２９に送り、この揚穀装置２９によって穀粒貯留部５に供給される。また、枝梗付き穀粒などの２番物は２番スクリュー３０および還元装置３１によって揺動選別部２５の前部に還元して再度の選別処理が行われる。
【００２５】
扱室２２の送塵口２２Ｂから搬出された脱穀処理後の刈取穀稈（以下、排ワラと称する）は排ワラ搬送装置３２に受け渡され後方の斜め上方に搬送され、排ワラカッタ３３に供給され、細断して放出される。また、送塵口２２Ｂから排出される処理物は、駆動回転する拡散胴３４によりほぐされた状態で揺動選別部２５に供給される。
【００２６】
この脱穀装置４では、図９及び図１０に示すように、樹脂製の扱室前壁３６の一部を扱室２２の内部に屈曲成形することにより扱室２２の穀稈供給口２２Ａが形成されている。この屈曲成形により扱室２２の内方側に張り出す規制壁３６Ａが扱室前壁３６と一体的に形成され、この穀稈供給口２２Ａの上部位置となる扱室前壁３６から穀稈供給口２２Ａの上側を覆う位置に下方に垂れ下がる形態で布製やゴム製等の飛散防止カバー３７が備えられている。この飛散防止カバー３７は、上端部が連結用フレーム３８により扱室前壁３６の前面に挟み込む状態で支持されている。
【００２７】
また、刈取穀稈が扱室内に供給される際には、飛散防止カバー３７の下端側が扱室内の方向に向けて弾性変形すると共に、弾性変形した飛散防止カバー３７が規制壁３６Ａに接触して弾性変形の限界が決まる。このような構成において、扱室２２に供給される刈取穀稈のボリュームが大きい場合には、規制壁３６Ａの角部から飛散防止カバー３７に力が集中して作用するため摩耗や破損が促進される。
【００２８】
この摩耗や破損を抑制するために規制壁３６Ａのうち飛散防止カバー３７に接触する接触面３６Ｓを図１０に示す如く断面視で滑らかに湾曲する形状に成形している。また、前述した接触面３６Ｓの形状を、図１１に示す如く断面視で多角形の外面となる形状に成形しても良い。このような形状に成形することにより、脱穀装置４の穀稈供給口２２Ａに大きいボリュームの穀稈を供給する際に飛散防止カバー３７が大きく変形して、図１０、図１１に仮想線に示す姿勢に達しても接触面３６Ｓの突出部から飛散防止カバー３７に力が集中する現象を抑制して摩耗や破損を抑制して飛散防止カバー３７の寿命を長くする。
【００２９】
〔穀粒貯留部〕
図１、図３に示すように、走行機体２において運転部１０の後方位置には作業デッキ４１が形成され、この作業デッキ４１から支柱状の前縦フレーム４２と後縦フレーム４３とを立設しており、これらの上端に穀粒貯留部５が支持されている。この穀粒貯留部５は、上部に共通のタンクユニット４４を有すると共に、下部に３つの排出筒４５を備えたホッパーとして構成され、夫々の排出筒には開閉自在なシャッター４６を備えている。夫々の排出筒４５から排出される穀粒を穀粒袋４７に回収するため、前縦フレーム４２と後縦フレーム４３とを連結する構造の横フレーム４８に対して、排出筒４５の近傍に突出する穀粒袋を吊り下げる支持棒４９が備えられている。
【００３０】
また、前縦フレーム４２とには、前後向き姿勢の軸芯を中心にして揺動自在にサポートフレーム５０が支持され、このサポートフレーム５０の揺動端に走行機体２の前後方向に沿う姿勢となるサポート部５１が形成されている。図１、図３にはサポートフレーム５０を格納姿勢にセットした状態を示しており、穀粒袋４７に穀粒を詰める場合には、サポートフレーム５０の揺動操作によってサポート部５１が作業デッキ４１の上方外方に達する位置にセットすることで、作業デッキ４１に搭乗した作業者がサポート部５１に凭れ掛かる状態で作業を行えるようにしている。尚、この実施形態では、前縦フレーム４２にサポートフレーム５０を備えた構成を示しているが、後縦フレーム４３にもサポートフレーム５０を備えても良い。
【００３１】
〔エンジンの吸気系〕
このコンバインでは、エンジンＥを覆うボンネット１６の運転座席１２が備えられ、ボンネット１６の機体外面には冷却風の吸気開口１６Ａが形成されている。
【００３２】
図３〜図６に示すように、穀粒貯留部５（第１支持部の一例）を構成するタンクユニット４４のうち、脱穀装置４と対向する外壁４４Ａに対してプレクリーナ５５がブラケットＢにより支持され、前縦フレーム４２から前方に突出した支持フレーム５６（第２支持部の一例）によってプレクリーナ５５より低い位置でプレクリーナ５５より前部位置にエアークリーナ５７が支持されている。プレクリーナ５５及びブラケットＢは、外壁４４Ａにおける前後中間位置より前側の前半部分の後部（揚穀装置２９の上部の前側近傍箇所）に配置されている。プレクリーナ５５からの空気をエアークリーナ５７に送る中間ホース５８を備え、エアークリーナ５７からの空気をエンジンＥに送る供給ホース５９を備えてエンジンＥの吸気系が構成されている。これによりエンジンＥに供給される空気はプレクリーナ５５によって大きい塵埃が除去された後に、中間ホース５８によってエアークリーナ５７に供給され、更に小さい塵埃が除去される。
【００３３】
プレクリーナ５５は、プレート状のベース材５５Ａに筒状の本体ケース５５Ｂを乗せ付けて連結し、この本体ケース５５Ｂの上部をドーム状のカバー体５５Ｃを着脱自在に取り付けた構成を有している。ベース材５５Ａには横方向に張り出す一対のフランジ部５５Ａｆが一体的に形成され、このベース材５５Ａの底壁５５Ａｂの中央部に下方に突出する送出部５５Ｅが形成され、底壁５５Ａｂのうち送出部５５Ｅを取り囲む領域に吸気口（図示せず）が形成されている。このプレクリーナ５５は本体ケース５５Ｂの内部に、比較的大きい塵埃を除去する構造を備えており、吸気口から吸引した空気に含まれる比較的大きいサイズの塵埃を除去して送出部５５Ｅから送り出す機能を有している。
【００３４】
底壁５５Ａｂは、ベース材５５Ａの下面とフランジ部５５Ａｆの下面に亘って形成されており、ブラケットＢは、図７に示すように、ベース材５５Ａの送出部５５Ｅの外周側で吸気口を覆わない（干渉しない）位置の底壁５５Ａｂに接触する水平姿勢で二叉状の支持部６１と、穀粒貯留部５のタンクユニット４４の垂直姿勢の外壁４４Ａに接触する垂直姿勢の連結部６２とを一体的に形成した構造を有している。このブラケットＢは鋼板等の金属板を折り曲げることによって形成されるものであり、支持部６１と連結部６２とに溶接等の技術で連結される補強部材６３を備えている。
【００３５】
ブラケットＢの支持部６１には連結用のボルト６４が挿通する複数の孔部６１Ａが形成されると共に、各々の孔部６１Ａの下面側にナット６５が溶接固定されている。これにより、ベース材５５Ａのフランジ部５５Ａｆに形成された貫通孔にボルト６４を上方から下方に挿通し、支持部６１の下面側のナット６５に螺合させることで、この支持部６１にプレクリーナ５５が連結される。また、ブラケットＢの連結部６２にはボルト６６が挿通する複数の孔部６２Ａが形成され、この孔部６２Ａにボルト６６を挿通し、このブラケットＢをタンクユニット４４の垂直姿勢の外壁４４Ａに連結する。
【００３６】
エアークリーナ５７は、軸芯を横向き姿勢に設定したドラム状の本体ケース５７Ａに対して、機体内側の端部の上面から上方に突設した筒状の吸引部５７Ｂと、この機体内側の端部において本体ケースの軸芯と同軸芯上に配置され下方に突出するようにエルボー状となる排出部５７Ｃとを有している。
【００３７】
中間ホース５８は、可撓性のゴム材料又は樹脂材料等を用いたゴムホース又は樹脂ホース等によって構成され、中間部５８Ａが前後向き姿勢（水平姿勢）で、後端部５８Ｂを上方に屈曲させ、前端部５８Ｃを下方に屈曲させた形状を有している。この中間ホース５８の後端部５８Ｂをプレクリーナ５５の送出部５５Ｅに外嵌してクランプバンド６８で固定し、前端部５８Ｃをエアークリーナ５７の吸引部５７Ｂに外嵌してクランプバンド６８で固定している。図５に示すようにプレクリーナ５５の送出部５５Ｅとエアークリーナ５７の吸引部５７Ｂとは、走行機体２の前後方向に沿う仮想直線Ｘの近傍に配置され、これにより図４に示す如く正面視において中間ホース５８の後端部５８Ｂと前端部５８Ｃとが横方向に殆ど偏位しない位置関係となる。なお、中間ホース５８の中間部５８Ａの前後長さは、前端部５８Ｃの上下長さよりも、後端部５８Ｂの上下長さよりも、長く設定されている。更に、前端部５８Ｃの下端と後端部５８Ｂの上端との上下方向の相対距離（上下高さ）よりも、前端部５８Ｃと後端部５８Ｂとの前後方向の相対距離（前後長さ）の方が長くなるように設定されている。
【００３８】
このように、プレクリーナ５５は、穀粒貯留部５のタンクユニット４４と、脱穀装置４との間の空間において上方に突出する位置で配置されることになり、このタンクユニット４４と脱穀装置４との間の空間に中間ホース５８を配置した場合には中間ホース５８を大きく屈曲させないで済み、製造も容易となる。このような理由から、平面視においてプレクリーナ５５の送出部５５Ｅとエアークリーナ５７の吸引部５７Ｂと結ぶ仮想直線Ｘが走行機体２の前後方向と平行となる姿勢、あるいは、平行に近い姿勢にあるように設定することで、中間ホース５８の形状の単純化を実現している。
【００３９】
特に、本発明ではプレクリーナ５５を穀粒貯留部５に支持する構成に代えて、脱穀装置４の外壁に支持するように構成しても良い。このように構成した場合にもブラケットＢを介してプレクリーナ５５が支持され、走行機体２の前後方向に沿って中間ホース５８が配置されることになる。
【００４０】
また、供給ホース５９は、縦向き姿勢となる上端部５９Ａと、これに連なる下端部５９Ｂとを有し、上端部５９Ａをエアークリーナ５７の排出部５７Ｃに外嵌してクランプバンド６８で固定し、下端部５９ＢをエンジンＥの吸気ユニット（図示せず）にクランプ等によって固定している。
【００４１】
このように、プレクリーナ５５をブラケットＢによって穀粒貯留部５のタンクユニット４４の外壁４４Ａに支持する構成から、プレクリーナ５５を高レベルに配置する基本的な構成を維持しながら、このプレクリーナ５５の送出部５５Ｅと、エアークリーナ５７の吸引部５７Ｂとを走行機体２の前後する位置関係に配置し、これらに接続する中間ホース５８として可撓性材料を用いることにより、プレクリーナ５５とエアークリーナ５７との位置関係に多少の誤差があっても中間ホース５８を撓ませて接続することが可能となり、また、中間ホース５８の成形の精度を高くすることなく無理のない接続が可能となる。
【００４２】
プレクリーナ５５をブラケットＢによってタンクユニット４４の外壁４４Ａに対して支持する構成であるため、このプレクリーナ５５を穀粒貯留部５の外壁に対して直接的に支持するための構造を必要とすることがなく、安定的な支持が可能となる。
【産業上の利用可能性】
【００４３】
本発明は、プレクリーナとエアークリーナとを備えたコンバイン全般に利用することができる。
【符号の説明】
【００４４】
２            走行機体
４            脱穀装置
５            第１支持部・穀粒貯留部
４４Ａ        外壁
５５          プレクリーナ
５５Ｅ        送出部
５５Ａｂ      底壁
５６          第２支持部（支持フレーム）
５７          エアークリーナ
５７Ｂ        吸引部
５８          ホース（中間ホース）
５８Ａ        中間部
５８Ｂ        後端部
５８Ｃ        前端部
６１          支持部
６２          連結部
Ｂ            ブラケット
Ｅ            エンジン
Ｘ            仮想直線
【図１】
2012172582.tif 000003
【図２】
2012172582.tif 000004
【図３】
2012172582.tif 000005
【図４】
2012172582.tif 000006
【図５】
2012172582.tif 000007
【図６】
2012172582.tif 000008
【図７】
2012172582.tif 000009
【図８】
2012172582.tif 000010
【図９】
2012172582.tif 000011
【図１０】
2012172582.tif 000012
【図１１】
2012172582.tif 000013